(57)【要約】【課題】  不使用時にかさばらず、また、カメラ本体を小型化できるファインダ装置を提供する。【解決手段】  スポーツファインダ３３は、保持部材３０に取り付け部３９が軸着されることにより、ファインダレンズ３７がユニット本体１１の上方に突出して、フレーミングを行える使用位置と、ファインダレンズ３７と撮影レンズ１５とが対面し、撮影レンズ１５を保護する収納位置との間で回転自在に保持される。このため、不使用時には、撮影レンズ１５を保護できるだけでなく、かさばってしまうこともない。また、スポーツファインダ３３は、ユニット本体１１の外側で移動する。このため、ユニット本体１１にスポーツファインダを収納するスペースを設ける必要がなく、ユニット本体が大型化してしまうといったこともない。【選択図】        図３
2005099384.tif 000002
【特許請求の範囲】
【請求項１】
カメラに取り付けられて使用されるファインダ装置において、
矩形のファインダレンズを備え、カメラの外側に取り付けられる視野枠部と、
前記視野枠部をカメラの撮影レンズと対面させる収納位置と、カメラ本体に対して起立させる使用位置との間で移動自在に保持する保持部材とからなることを特徴とするファインダ装置。
【請求項２】
前記保持部材は、前記ファインダレンズの１辺と平行な軸を中心に前記視野枠部を回転自在に保持し、前記視野枠部は、前記収納位置と前記使用位置との間を回転移動することを特徴とする請求項１記載のファインダ装置。
【請求項３】
前記保持部材は、前記視野枠部の両側部をスライド自在に保持し、前記視野枠部は、前記収納位置と前記使用位置との間を平行移動することを特徴とする請求項１記載のファインダ装置。
【請求項４】
前記ファインダレンズは、凹型フレネルレンズであることを特徴とする請求項１〜３いずれか記載のファインダ装置。
【請求項５】
前記視野枠部は、透明な材料にて形成されるとともに、光入射面を備え、
前記光入射面は、前記視野枠部が使用位置に移動した際に、ストロボ発光の有無を示すパイロットランプと対面して、パイロットランプからの光を前記視野枠部の内部に導光することを特徴とする請求項１〜４いずれか記載のファインダ装置。
【請求項６】
前記視野枠部は、透明な材料にて形成されるとともに、凸レンズ部を備え、
前記凸レンズ部は、前記視野枠部が使用位置に移動した際に、カメラの撮影枚数を示すカウンタと対面して、カウンタを拡大表示することを特徴とする請求項１〜５いずれか記載のファインダ装置。
【請求項７】
前記ファインダレンズの外周に視野枠を設け、
前記視野枠を、カメラに対する撮影者の位置が予め設定された適正位置となる場合に、撮影者が視野枠を通して観察可能な範囲とカメラの撮影範囲とがほぼ一致するように形成するとともに、
前記視野枠の少なくとも２カ所に、マークと、このマークを前記適正位置からのみ観察可能とする光路規制手段とを設けたことを特徴とする請求項１〜６いずれか記載のファインダ装置。
【請求項８】
前記ファインダレンズの外周に視野枠を設け、
前記視野枠を、カメラに対する撮影者の位置が予め設定された適正位置となる場合に、撮影者が視野枠を通して観察可能な範囲とカメラの撮影範囲とがほぼ一致するように形成するとともに、
前記視野枠の少なくとも２カ所に、前記適正位置からのみ貫通して観察される円筒形状の穴を設けたことを特徴とする請求項１〜６いずれか記載のファインダ装置。
【請求項９】
前記ファインダレンズの外周に視野枠を設け、
前記視野枠を、カメラに対する撮影者の位置が予め設定された適正位置となる場合に、撮影者が視野枠を通して観察可能な範囲とカメラの撮影範囲とがほぼ一致するように形成するとともに、
前記視野枠は、前記適正位置から観察したときに側面の厚みが最も薄く観察されるように、被写体側よりも撮影者側が小さく形成されていることを特徴とする請求項１〜６いずれか記載のファインダ装置。
【請求項１０】
前記ファインダレンズの外周に視野枠を設け、
前記視野枠を、カメラに対する撮影者の位置が予め設定された適正位置となる場合に、撮影者が視野枠を通して観察可能な範囲とカメラの撮影範囲とがほぼ一致するように形成するとともに、
前記視野枠よりも撮影者側に、前記適正位置から観察したときのみ前記視野枠と重なるように、前記視野枠よりも小さく形成された矩形のフレーミングガイドを設けたことを特徴とする請求項１〜６いずれか記載のファインダ装置。
【発明の詳細な説明】
【技術分野】
【０００１】
本発明は、カメラに取り付けられて使用されるファインダ装置に関するものである。
【背景技術】
【０００２】
カメラ上面に大型のファインダレンズを取り付けたスポーツファインダと呼ばれるファインダ装置がある。スポーツファインダは、目をカメラから離して使用するので、両目でフレーミングするといったことや、ファインダレンズの外を観察するといったことができる。このため、被写体が動いていてもフレーミングしやすいといった利点がある。また、水中マスクなどを着用し、ファインダをのぞき込むことが困難な水中での撮影にも適している。
【０００３】
しかし、スポーツファインダは、携帯する際などにかさばってしまうといった問題がある。このため、下記特許文献１には、不使用時にファインダレンズをカメラ本体内部に収納できるようにしたファインダ装置が記載されている。
【０００４】
【特許文献１】実開昭６２−６５６３３号公報
【発明の開示】
【発明が解決しようとする課題】
【０００５】
しかしながら、上記特許文献１記載の装置は、カメラ本体にファインダレンズを収納するためのスペースを設けなければならないので、カメラの大型化を招いてしまうといった問題があった。本発明は、カメラを小型化できるファインダ装置を提供することを目的としている。
【課題を解決するための手段】
【０００６】
本発明のファインダ装置は、矩形のファインダレンズを備え、カメラの外側に取り付けられる視野枠部と、前記視野枠部をカメラの撮影レンズと対面させる収納位置と、カメラ本体に対して起立させる使用位置との間で移動自在に保持する保持部材とからなることを特徴としている。
【０００７】
前記保持部材は、前記ファインダレンズの１辺と平行な軸を中心に前記視野枠部を回転自在に保持し、前記視野枠部は、前記収納位置と前記使用位置との間を回転移動するものでもよい。また、前記保持部材は、前記視野枠部の両側部をスライド自在に保持し、前記視野枠部は、前記収納位置と前記使用位置との間を平行移動するものでもよい。前記ファインダレンズは、凹型フレネルレンズでもよい。
【０００８】
前記視野枠部は、透明な材料にて形成されるとともに、光入射面を備え、前記光入射面は、前記視野枠部が使用位置に移動した際に、ストロボ発光の有無を示すパイロットランプと対面して、パイロットランプからの光を前記視野枠部の内部に導光するものでもよい。また、前記視野枠部は、透明な材料にて形成されるとともに、凸レンズ部を備え、前記凸レンズ部は、前記視野枠部が使用位置に移動した際に、カメラの撮影枚数を示すカウンタと対面して、カウンタを拡大表示するものでもよい。
【０００９】
前記ファインダレンズの外周に視野枠を設け、前記視野枠を、カメラに対する撮影者の位置が予め設定された適正位置となる場合に、撮影者が視野枠を通して観察可能な範囲とカメラの撮影範囲とがほぼ一致するように形成するとともに、前記視野枠の少なくとも２カ所に、マークと、このマークを前記適正位置からのみ観察可能とする光路規制手段とを設けてもよい。また、前記視野枠の少なくとも２カ所に、前記適正位置からのみ貫通して観察される円筒形状の穴を設けてもよい。
【００１０】
前記視野枠は、前記適正位置から観察したときに側面の厚みが最も薄く観察されるように、被写体側よりも撮影者側が小さく形成されているものでもよい。また、前記視野枠よりも撮影者側に、前記適正位置から観察したときのみ前記視野枠と重なるように、前記視野枠よりも小さく形成された矩形のフレーミングガイドを設けてもよい。
【発明の効果】
【００１１】
本発明のファインダ装置は、カメラ本体の外側でファインダレンズが移動するようにしたので、カメラ本体にファインダレンズを収納するためのスペースを設ける必要が無く、カメラを小型化することができる。また、本発明のファインダ装置は、ストロボ発光の有無を示すパイロットランプや、撮影枚数を示すカウンタを見やすくすることができる。さらに、本発明のファインダ装置は、撮影者が視野枠を通して観察できる範囲とカメラの撮影範囲とがほぼ一致する適正位置にカメラを構えることができる。
【発明を実施するための最良の形態】
【００１２】
本発明を実施したレンズ付きフイルムユニットを図１に示す。周知のように、レンズ付きフイルムユニット１０は、簡単な露光機構を備えたユニット本体１１に、予め製造時に未露光の写真フイルムを装填した使い捨て型のカメラである。ユニット本体１１は、フイルム収納室、露光機構、ストロボ装置などが取り付けられる本体基部と、この本体基部を前後から覆う前カバー及び後カバーとからなる。ユニット本体１１の前面には、撮影レンズ１５、ストロボ発光部１７、ストロボ装置の発光の有無を選択する操作部材１９が露呈している。
【００１３】
ユニット本体１１の上面には、ストロボ発光の準備が整った際に点滅するパイロットランプの発光部２０、レリーズボタン２１、撮影枚数を示すカウンタ２３、スポーツファインダ３０を構成する保持部材３１が設けられている。また、ユニット本体１１上面には、係止突起３２ａが形成された一対の係止部材３２が設けられ、ユニット本体１１の前面には、係止突起３３ａが形成された係止部材３３が設けられている。保持部材３１はユニット本体１１の幅方向中央部に配置され、発光部２０、カウンタ２３は保持部材３１の両側にそれぞれ配置されている。さらに、発光部２０、カウンタ２３の両側には、係止部材３２が配置されている。
【００１４】
スポーツファインダ３０は、保持部材３１、係止部材３２、３３、及び、ユニット本体１１の外側に取り付けられる視野枠部３４とから構成される。視野枠部３４は、視野枠３５、ファインダレンズ３７、取り付け部３９からなり、これらが、例えば、透明なプラスチックなどによって一体成形されている。
【００１５】
視野枠３５は、矩形の枠体であり、縦横比がレンズ付きフイルムユニット１０により撮影される画像の縦横比と同じになるように成形されている。ファインダレンズ３７は、視野枠３５の内側部分を形成する。ファインダレンズ３７としては、例えば、図２に示すような、薄型で略平板状に成形された凹型フレネルレンズが用いられ、ファインダレンズ３７を通すことにより、視野枠３５を素通しにした場合と比較して、より広範囲を観察可能とする。
【００１６】
取り付け部３９は、視野枠３５の枠面から垂直な方向に延びるように形成される。取り付け部３９の端部には、一対の開口３９ａが設けられている。開口３９ａは、それぞれ長手方向が視野枠３５の１辺と平行になるように形成されている。一方、前記保持部材３１にも開口３１ａが設けられており、取り付け部３９は、開口３９ａにより開口３１ａを挟み込むように配置される。そして、これら開口３９ａ、３１ａに軸体４０が貫通されてユニット本体１１に軸着される。これにより、視野枠部３４は、図３（Ａ）に示す使用位置と、同図（Ｂ）に示す収納位置との間で回転自在に保持される。
【００１７】
使用位置は、ファインダレンズ３７がユニット本体１１の上方に突出し、ファインダレンズ３７と垂直なファインダ光軸方向と、レンズ付きフイルムユニット１０の撮影光軸方向とが一致する位置である。取り付け部３９の両側部には、係止突起３２ａと係合する一対の係止窪み３９ｄが設けられており、スポーツファインダ３０を使用位置に移動すると、これらが係合してスポーツファインダ３０は、使用位置に係止される。
【００１８】
また、取り付け部３９には、凸レンズ部３９ｂ、光入射部３９ｃが形成されており、視野枠部３４を使用位置に移動すると、凸レンズ部３９ｂがカウンタ２３と対面し、光入射部３９ｃが発光部２０と対面する。図４に示すように、凸レンズ部３９ｂは、取り付け部３９の一端面に設けられた窪みと、窪みの内側部分を形成する凸面とからなり、凸面が取り付け部３９の一端面からはみ出さないようにしたものである。
【００１９】
収納位置は、ファインダレンズ３７がユニット本体１１の前面に配置され、ファインダレンズ３７と撮影レンズ１５とが対面する位置である。視野枠３５には、係止突起３３ａと係合する係止窪み３５ａが設けられており、視野枠部３４を収納位置に移動すると、これらが係合して視野枠部２４が収納位置に係止される。係止突起３３ａと係止窪み３５ａとの係合、及び、前述した、係止突起３２ａと係止窪み３９ｄとの係合は、撮影者の操作によって容易に解除できるようになっている。
【００２０】
使用位置において、スポーツファインダ３０は、視野枠３５の内側部分にて撮影範囲を示すものであり、フレーミングを行う際に用いられる。このとき、発光部２０が発光すると、光入射部３９ｄからパイロットランプの光が入射して、視野枠部３４全体が発光したように観察される。またこのとき、カウンタ２３は、凸レンズ部３９ｂによって拡大された状態で観察される。一方、収納位置において、スポーツファインダ３０は、ファインダレンズ３７によりに撮影レンズ１５を覆い、レンズカバーとして機能する。視野枠３５及びファインダレンズ３７は、使用位置ではレンズ付きフイルムユニット１０を撮影者から離して両目にてフレーミングを行えるように、また、収納位置では撮影レンズ１５が露呈してしまわないように、十分に大型に形成されている。
【００２１】
以下、上記構成による本発明の作用について説明する。撮影を行う際には、スポーツファインダ３０を使用位置まで移動させる。これにより、ファインダレンズ３７がユニット本体１１の上方に起立し、フレーミングを行うことができる。このとき、係止突起３２ａと係止窪み３９ｄとが係合するのでスポーツファインダ３０がぐらついてしまうといったことがない。また、カウンタ２３と凸レンズ部３９ｂとが対面し、カウンタ２３が拡大され見やすくなっている。さらに、発光部２０と光入射面３９ｃとが対面しているので、パイロットランプが発光すると、視野枠部３４全体が発光したように観察されるので、パイロットランプの発光の有無を確認しやすい。
【００２２】
フレーミングは、レンズ付きフイルムユニット１０を撮影者から離した状態で両目にて行い、視野枠３５の内側部分に所望の被写体をとらえるようにする。フレーミング後にレリーズボタン２１を押下することによって、撮影が行われる。ストロボ撮影を行う際には、操作部材１９を押圧操作しながら、視野枠部３４によりパイロットランプの点滅を確認してからレリーズボタン２１を押下することによってストロボ撮影を行うことができる。
【００２３】
撮影終了後には、スポーツファインダ３０を収納位置まで移動させる。これにより、ファインダレンズ３７が撮影レンズ１５を覆うようにユニット本体１１の前面に配置され、撮影レンズ１５が保護される。このとき、係止突起３３ａと係止窪み３５ａとが係合するので、携帯の際などにスポーツファインダ３０が移動して撮影レンズ１５が露呈してしまうといったことがない。
【００２４】
このように、スポーツファインダ３０は、ユニット本体１１から突出してフレーミングを行う使用位置と、ユニット本体１１の前面に配置され撮影レンズ１５を保護する収納位置との間で移動自在に設けられている。このため、持ち運びのなどの際に、撮影レンズ１５を保護できるだけでなく、かさばってしまうこともない。また、スポーツファインダ３０は、ユニット本体１１の外側で移動するようにしたので、ユニット本体１１にスポーツファインダを収納するスペースを設ける必要がなく、ユニット本体が大型化してしまうといったこともない。
【００２５】
上記実施形態では、使用位置と収納位置との間を回転移動するスポーツファインダを例に説明をしたが、本発明はこれに限定されるものではない。図５に示すスポーツファインダ５０のように、視野枠部５１を上下方向にスライド自在に保持する一対の保持部材５３をユニット本体１１に設け、同図（Ａ）に示す使用位置と、同図（Ｂ）に示す収納位置との間を平行移動するようにしてもよい。なお、図５以降の図面において、上述した実施形態と同様の部材については同様の符号を付して説明を行う。
【００２６】
また、上記実施形態では、使用位置に移動させると、カメラの上方に突出するスポーツファインダを例に説明をしたが、本発明は、これに限定されるものではない。図６に示す、スポーツファインダ６０のように、ユニット本体１１の上下方向にのびる軸によって視野枠部６１を軸着し、同図（Ａ）に示す収納位置から、同図（Ｂ）に示す使用位置に移動させたときに、カメラの側方に突出するようにしてもよい。なお、スポーツファインダ６０は、収納位置において、撮影レンズ１５だけでなく、ストロボ発光部１７も視野枠部６１によって保護するようになっている。
【００２７】
なお、上記実施形態では特に触れなかったが、上述したようなスポーツファインダは、カメラを撮影者から離した状態でフレーミングを行うので、フレーミングされる範囲がカメラの構え方によって変化する。このため、スポーツファインダは、予め、平均的な撮影者がカメラを構えたときのカメラに対する撮影者の位置が適正位置として設定されており、この適正位置からフレーミングを行ったときにフレーミングされる範囲とカメラの撮影範囲とが一致するように設計されている。
【００２８】
しかし、撮影者によっては、適正位置からフレーミングを行えずに、所望の画像を得られない場合がある。このような問題を防止するために、適正位置にカメラを構えられたことが撮影者に分かるように、スポーツファインダにフレーミングガイド機能を持たせるといったことが考えられる。以下、フレーミングガイド機能を持たせたスポーツファインダについて、図面をもとに説明をする。なお、図７以降の図面は、使用位置におけるスポーツファインダをレンズ付きフイルムユニットの背面側から観察した図である。
【００２９】
図７に示すスポーツファインダ７０は、矩形の枠体であるフレーミングガイド７１を備えている。フレーミングガイド７１は、ユニット本体１１の背面に軸着され、ユニット本体１１の上方に突出する使用位置とユニット本体１１の背面に対面する収納位置との間で回転自在に保持されている。また、フレーミングガイド７１は、使用位置に移動したときに、適正位置から観察したときのみ視野枠３５と重なって観察されるように、視野枠３５よりも小さく形成されている。これにより、撮影者は、フレーミングの際にカメラ位置を変化させながら、視野枠３５とフレーミングガイド７１とが重なるようにすれば、カメラを適正な位置に構えることができる。そして、フレーミングガイド７１は、収納位置に移動させれば、持ち運びの際などにかさばってしまうということがない。
【００３０】
図８に示すスポーツファインダ８０は、角筒状の視野枠８１を備えている。この視野枠８１は、適正位置から観察したときに側面の厚みが最も薄く観察されるように、被写体側よりも撮影者側が小さく形成されている。これにより、フレーミングの際に、側面の厚みが最も薄く観察されるようにすれば、カメラを適正な位置に構えることができる。
【００３１】
図９に示すスポーツファインダ９０は、視野枠９１の４箇所に円筒形状の開口９１ａが設けられている。この開口９１ａは、適正位置から観察したときのみ貫通して観察されるように軸を適正位置の方向へ向けて設けられている。これにより、フレーミングの際に、開口９１ａが貫通して観察されるようにすれば、カメラを適正な位置に構えることができる。
【００３２】
図１０に示すスポーツファインダ１００は、視野枠１０１の４箇所にマーク１０１ａを設けるとともに、このマーク１０１ａを観察できる方向を限定させる光路規制手段である角筒状の仕切板１０１ｂが設けられている。同図（Ｂ）に示すように、仕切板１０１ｂは、軸が適正位置の方向を向くように設けられている。また、マーク１０１ａは、仕切板１０１ｂの被写体側の内側に設けられており、適正位置からのみ観察可能である。これにより、フレーミングの際に、全てのマーク１０１ａが観察されるようにすれば、カメラを適正な位置に構えることができる。マークと仕切板は、４箇所に設けずに、例えば、２箇所だけ設けるようにしてもよいし、ファインダレンズ３７の外周全体にわたって設けるようにしてもよい。
【図面の簡単な説明】
【００３３】
【図１】スポーツファインダの分解図である。
【図２】レンズの断面図である。
【図３】収納位置と使用位置を表す説明図である。
【図４】凸レンズ部の断面図である。
【図５】収納位置と使用位置を表す説明図である。
【図６】収納位置と使用位置を表す説明図である。
【図７】収納位置と使用位置を表す説明図である。
【図８】スポーツファインダの背面側の外観図である。
【図９】スポーツファインダの背面側の外観図である。
【図１０】スポーツファインダの外観図及び断面図である。
【符号の説明】
【００３４】
１０    レンズ付きフイルムユニット
１１    ユニット本体
２０    発光部
２３    カウンタ
３１、５３    保持部材
３０、５０、６０、７０、８０、９０、１００    スポーツファインダ
３４、５１、６１    視野枠部
３５、８１、９１、１０１    視野枠
３７    ファインダレンズ
３９    取り付け部
３９ｂ    凸レンズ部
３９ｃ    光入射部
７１    フレーミングガイド
９１ａ    開口
１０１ａ    マーク
１０１ｂ    仕切板
【図１】
2005099384.tif 000003
【図２】
2005099384.tif 000004
【図３】
2005099384.tif 000005
【図４】
2005099384.tif 000006
【図５】
2005099384.tif 000007
【図６】
2005099384.tif 000008
【図７】
2005099384.tif 000009
【図８】
2005099384.tif 000010
【図９】
2005099384.tif 000011
【図１０】
2005099384.tif 000012